(57)【要約】マットレス（３）を支持するための複数の横軸のスラット（２）を有する筐体（１）を含み、１または複数の上記スラットは、目盛り定めされた正または負の高さ調整を各スラットに与えるために、上記筐体に関連して、個々に調節可能であって、上記高さ調整は、上記筐体の外側の操作可能な手段によって与えられることを特徴とするベッドマットレスの支持台。
2004505741.tif 000002
【特許請求の範囲】
【請求項１】
マットレスを支持するための複数の横軸のスラットを有する筐体を含み、
１または複数の上記スラットは、目盛り定めされた正または負の高さ調整を各スラットに与えるために、上記筐体に関連して、個々に調節可能であって、
上記高さ調整は、上記筐体の外側の操作可能な手段によって与えられることを特徴とするベッドマットレスの支持台。
【請求項２】
上記高さ調整手段は、回転運動および上記スラットに垂直方向の高さ調整を与える上記スラットとの連携のための、上記筐体に備えられたカムである請求項１に記載の支持台。
【請求項３】
上記カムは上記スラットの各末端付近に備えられた１つのカムと組になって動かされ、上記カムの組は同時に動かされる請求項２に記載の支持台。
【請求項４】
上記目盛り定めは、上記筐体に関連した上記スラットの高さを示す請求項１〜３の何れか１項に記載の支持台。
【請求項５】
上記カムの組は、上記筐体の外側から利用可能な共通の機軸に備えられる請求項２〜４の何れか１項に記載の支持台。
【請求項６】
上記カムは、各個々のスラットの長さに伸ばした請求項２〜５の何れか１項に記載の支持台。
【請求項７】
マットレスを支持するための複数の横軸の引き伸ばしたカムを有する筐体と、上記カムの調整手段とを含み、
１または複数の上記カムは、目盛り定めされた正または負の高さ調整を上記マットレスに与えるために、上記筐体に関連して、個々に調節可能であるベッドマットレスの支持台。
【請求項８】
上記カムは、上記筐体の外側から操作可能である請求項７に記載の支持台。
【請求項９】
上記高さ調整手段は、上記スラットに垂直方向の高さ調整を与える個々に調整可能な上記スラットを支持する高さ調整ブロックである請求項１に記載の支持台。
【請求項１０】
上記高さ調整ブロックは、別の高さ調整手段によって共有される高さ調整目盛りに応じて目盛り定めされる請求項９に記載の支持台。
【請求項１１】
上記調整可能なスラットは、上記マットレスの使用者位置の２以上に対して、高さ調整を可能にする請求項１〜１０の何れか１項に記載の支持台。
【請求項１２】
上記筐体は、部分的に直立位置にて使用者を支持するための上昇に適応したヒンジ板を有し、
上記筐体の上昇可能な位置は、上記マットレスを支持するための、１または複数の横軸のスラット、もしくは横軸の引き伸ばしたカムを組み込み、
上記スラットまたはカムは、上記マットレスの部分的な調整を提供するための上記筐体に関連して、個々に調整可能であり、
上記調整は、上記筐体の外部の操作可能な手段によって与えられる請求項１〜１１の何れか１項に記載の支持台。
【請求項１３】
実質的には図面を参照して以下に詳細に説明されるような請求項１〜１２の何れか１項に記載の支持台。
【発明の詳細な説明】
［本発明の序論］
本発明は、ベッド器具に関するものであり、特に、内部のバネまたは残りのマットレスを支持するための改良されたベッド台に関するものである。
【０００１】
［本発明の背景］
下部の台に支持される上部のマットレスの組み合わせは、一般に使用される典型的なベッド器具を形成する。上部のマットレスは、使用者に対して必要な安らぎと補助的な支持を提供するための構成や配置をどのような種類としてもよい。下部の台は、よくマットレスを持ち上げて外して換気をしたものであったが、さらに重要なことには、上部のマットレスに対して調整された大きな支持を提供することである。
【０００２】
大きな支持は、使用者の体形および整形外科の要求に見合った正確で最適な全体的支持のマットレスを与えるために重要である。ベッドの微調整または大きな支持は、一般的に、使用者に見合った様々な硬さを調達することができる上部のマットレスに限られている。さらに、上部のマットレスは、二重の使用に適するように混合した構成の準備によって、個々の要求に見合うように仕立てることができる。
【０００３】
マットレスの大きな支持と小さな支持との両方の正確かつ慎重な選択および調整は、各個人の異なる身体的、医学的要求に伴い変化する使用者の要求の多様性に見合ったベッドの最適な支持を達成するために不可欠である。
【０００４】
これまでのところ、適切な大きな支持を提供するベッド台の性能は、市販されている未加工のシステムによって限られている。現在、市販されている台システムは、中にバネがある台と、横軸にスラット（ｓｌａｔｓ）を使用したプラットフォーム台（ｐｌａｔｆｏｒｍ ｂａｓｅｓ）とを含む。中にバネがある台は、柔らかい感触によって安らぎの印象を使用者に与えるがその一方で、このシステムは、上部のマットレスに対して適切な全体的支持というよりも、最小限に調整された大きな支持を提供して、よく弾む感じという結果になる。
【０００５】
プラットフォーム台もまた、大きな支持を提供するが、二重のスラットの混合と、スラットの全長の多様なある程度の屈曲作用を提供するように調整された個々のスラットを許容する硬さの調整とのつり合いのとれた調整可能性（ａｄｊｕｓｔｍｅｎｔ ｐｏｔｅｎｔｉａｌ）に限られている。このようなシステムは、使用者の体に最適な整形外科的な支持を与えるための、必要な大きな支持を有する上部のマットレスを提供することにほとんど役に立たない。二重のスラットは、おそらく格差のある支持を生じさせる多様な屈曲作用を提供するが、このようなスラットは、荷重を受けたときに、標準的なスラットを超えて約１５ｍｍまでのゆがみのばらつきしか許容できない。成人の身体は、おそらく肩から腰にかけて最大約８０ｍｍまでの形のばらつきを有する。したがって、二重のスラットから得られるゆがみ補正の可能性は、結局は使用者のこのようなばらつきを満足させるには全く不十分である。さらに、二重のスラットは、スラットに対して個々の伸長の調整を提供するものではないが、個々の屈曲作用の調整だけを提供するものでもない。
【０００６】
より高い水準の大きな調整を提供するために、プラットフォーム台における個々のスラットの高さ調整は、明らかに有利な立場を与えるだろう。個々の横軸のスラットを組み入れたベッド台に対してスラットの調整を提供するある従来技術の装置が知られているが、公知の従来技術の装置には、個々の細かな要求に確信を持って応じる適切な調整を行なえる満足な手段を、使用者または医者に与えるための、定量的かつ目盛りを調節された様式の、個々のスラットを調整する準備が整った手段を提供するものはない。
【０００７】
このような個々の高さ調整が提供され、ベッド台の外部を操作できれば、ベッドの大きな支持の迅速で便利な変更手段が実現されるだろう。
【０００８】
［発明の説明］
一形態において、本発明は、ベッドマットレスの支持台を提供するものであり、上記マットレスを支持するための複数個の横軸のスラットを有する筐体を含んでおり、１または複数の上記スラットは、各スラットに対して目盛りが定められた正または負の高さ調整を与える上記筐体に関連して、個々に調整可能であり、上記高さ調整が上記筐体の外部の操作可能な手段によって与えられることを特徴とする。上記高さ調整手段は、（ａ）与えられたスラットの両端に設けられたカム（ｃａｍｓ）、（ｂ）各スラットの長さを支持する、引き伸ばしたカム、（ｃ）一般的な高さ調整ブロック、または（ｄ）高さ調整のための他の手段によって共有された高さ調整目盛りに対応させた高さ調整ブロックであってもよい。引き伸ばしたカムが、適切な直径のスラットから作られる場合、スラットの役割を果たす上記カムの上に直接支持されるベッドマットレスとともに削除可能である。
【０００９】
したがって、もうひとつの側面において、本発明は、ベットマットレスの支持台を提供するものであり、上記マットレスを支持するための複数の横軸の引き伸ばしたカムを有する筐体と、上記カムの調整手段とを含んでおり、１または複数のカムは、上記マットレスに対する調整を校正した高さを提供するための上記筐体に関連して、個々に調整可能である。上記高さ調整手段は、上記筐体の外部の操作可能な手段によって提供されることが好ましい。
【００１０】
上記カムは、上記高さ調整手段に対して外側から利用する手段を提供する筐体の外側にはみ出た共通の機軸に固定されていてもよい。また、上記カムは、調整に生じる量における定量的なデータを与えるための目盛りとともに提供されてもよい。
【００１１】
上記調整は、１つの高さ調整手段からつぎの高さ調整手段まで全体的に個々にでき、または迅速な調整を提供するための高さ調整手段の間において組み合わせられてもよい
また、上記高さ調整は、一般的な高さ調整ブロックによって実現されるものであってもよく、カムの校正に相当する高さ調整ブロックの使用によって、正確に対を成すものであってもよい。
【００１２】
上記支持台は、シングル、ダブル、およびより大きなサイズを含む様々なベッドサイズに適応するものである。上記調整手段は、複数の使用者のベッドの両側、またはどちらか一方の側を組み入れた個々のシステムを組み合わせることができる。
【００１３】
もうひとつの側面において、本発明は、ベッドマットレスの支持台を提供するものであり、上記支持台の筐体は、部分的に直立位置にて使用者を支持するための上昇に適応したヒンジ板（ｈｉｎｇｅｄ ｐｏｒｔｉｏｎ）を有し、上記筐体の上昇可能な位置は、上記マットレスを支持するための、１または複数の横軸のスラット、もしくは横軸の引き伸ばしたカムを組み込み、上記スラットまたはカムは、上記マットレスの部分的な調整を提供するための上記筐体に関連して、個々に調整可能であり、上記調整は、上記筐体の外部の操作可能な手段によって提供される。
【００１４】
本発明は、添付図面を参照した以下の説明で明白になるであろう。
【００１５】
［本発明の詳細な説明］
まず、本発明のマットレス支持材の部分的な側面が示される図１を参照する。マットレス支持材は、マットレスの頑丈な底面領域を覆うベッドマットレスの支持に関して改造された支持台の形式である。通常、筐体は、実質的にはシングル、ダブル、クイーン、キングなどを含めた標準サイズに該当するマットレスに対応するように整形された、長方形または正方形の単一体の形をとる。マットレス３は、マットレス３の支持を提供するための筐体１の内部に設けられた複数の横軸の支持スラット２を手段として、筐体１の表面領域に支持される。スラット２は、筐体１に関連した高さ変動を与えることができるように、個々に調整可能である。各スラットは、機軸５に従って回転する両末端の調整可能なカム４とともに備えられる。カム４は、個々のスラットに対して要求される高さを与えるための、スラット２の上下の変動を考慮に入れた機軸５に従った回転によって、支持スラット２と協調する。
【００１６】
図２は、筐体１が、マットレス（図示せず）を全面的に、完全に支持するための筐体の長さに沿って、複数のスラット２を収容する、本発明の支持台の側面を示す。回転させることができる、はみ出したハンドル、または、もう１つの方法として、適切な手段を使って機軸を利用することができる、といったどちらかの手段によって、カム４は、筐体１の外側から利用可能な回転する機軸５によって操作可能である。
【００１７】
図２Ａは、使用者の尻または肩部分に適応するように、上記カムの起動によって、スラットが領域１０において下げられている支持台を示す。目盛りの決められた高さ調整ブロックを利用した場合、この設定は、おそらく、カムの表示度数「−２」（支持材から「−３」およびブロックから「＋１」）に相当する。領域１１において、カムは、図示したスラットに対して表示度数「＋２」および「＋１」に相当し、使用者の腰または首部分に適応するように上げられている。
【００１８】
与えられた量によるカムの回転が高さ調整の手段を提供する、目盛りが定められたカムは、図２Ｂに示される。カムは、例えば、５ｍｍ毎の増加といったような、上昇または下降の直線的な量に相当する目盛り定めを有する。この目盛りが定められた調整は、使用者に、情報に基づいた規則正しい方法での調整を行なえるようにする。さらに、カムを手段とした上下の調整は、他の台におけるカムの変動に相当するブロック１０の使用によって他のベッドにおいても、正確に繰り返される。このように、本発明のカムを組み入れた台は、医師による患者の評価に使用可能であり、必要とされる調整を判定し、患者に、彼らの家のベッドに取り付けられたずらりと並んだ、積まれたブロックに相当するものを提供できる。このように、より複雑なカムの単体は、専用のベッド支持が必要な患者のためになるように、医師の選択によって使用可能である。
【００１９】
すなわち、医師は、カムの使用によって提供されるといったような簡単に調整可能なベッドを必要としており、以前に診断した患者は、カムによって実施される高さを変えられるベッドを必要としていなかったが、カム調整ベッドを使用する医師によって決められた高さに設定するためのブロックによって実施される高さを変えられるベッドがどうしても必要である。
【００２０】
ここで、長方形の筐体１と、筐体の全長を覆い、台を横切って連続している複数のスラット２とを有する支持台が示される本発明の平面図、図３を参照する。図３に示される特定の形態は、台の長さに沿って、側面から側面まで個々に調整可能な台の各側面に対して与えられたスラットを有する。このような、個々の調整は、台の表面に設置されたマットレスの各側面に対する大きな支持の完全な調整を可能にする。
【００２１】
各スラットは、機軸５を経て操作され、両端に接続されて配置されたカム４を有している。各使用者に対して、個々の調整を提供するために、スラットは、２つの分割されたサイド６および７に分配されていてもよい。スラットは、筐体１の外部に突出した機軸５の回転によって調整可能な高さを変更できる支持を提供するために、カム４を両端に有している。外部の突出部８は、個々のスラットの高さの迅速な調整を可能にする。
【００２２】
ここで、支持スラット２は個々に調整可能であり、機軸５に従って偏心的に回転することが可能な引き伸ばされたカム４によって支持される、本発明の他の形態が示される図４および図５を参照する。このような、引き伸ばされたカムは、簡易化した動作機構を提供することができ、各スラットの長さに沿った同様の調整を確実にする。
【００２３】
先に詳述した本発明の特徴の伸長部分は、図５に示すように、引き伸ばした調整カム４がスラットを載せる必要なしに、マットレスに直接的に支持を与えるように備えてもよい。このような形態は、上記マットレスに対して適切な位置の支持を提供するために、おそらく、適切な寸法が決められたカム４に依存する、または、その代わりとして、互いに接近して配置された十分な数のカムに依存する。
【００２４】
図６は、支持台が、部分的に高い位置において使用者を支持するための盛り上がった場所に使われる重要な部分を有する、折り畳み式の器具の形式を採る、本発明の他の形態を詳述する。このような支持台は、使用者が位置の変化において上昇を必要とする、病院または病人への適用が特に適している。しかしながら、このような、現在利用可能な装置は、十分な腰部の支持を提供することができないことで悩んでおり、本発明は、このような欠陥を、直接的および効率的に処理するために、考慮した特性を提供する。マットレス支持材９の隆起可能な部分は、引き伸ばしたもの、および／または、スラットと協調するもの、のどちらでも可能な、１または複数のカム４を与えてもよい。カムが引き伸ばされたものである場合の例において、すなわちスラットなしの機能について、カムは与えられた領域を覆うスラットの代わりとして使用され、使用者の要求に基づいて、マットレス３の内側または外側を押し上げるように作用すればよい。引き伸ばしたカム４は、カムまたはその代わりになるものとして機能するように形成されていればよく、偏心的な機動力のある機軸５と一体になった円筒であってもよい。このように、本発明の特性は、使用者の要求に基づいて敏速に調整可能な特定の領域について詳細に調整するといった特徴の支持台という限られた分野を超えて適用することができる。
【００２５】
本発明の支持台は、ベッドマットレスに対して完全に調整可能な、可変性の大きな支持という初めてのものを提供する。特に、カムを使用した本発明の実施形態は、配置されたベッドに使用者が完全に横たわり、マットレスが本来の位置にあって、確かにスラットが調整され得る状態において、適応する能力と、支持台の個々のスラットの高さを調整する能力とを提供する。
【００２６】
それらの調整において、または、望ましいいくつかのスラットが、迅速化に関連することが可能な場合、および／または、与えられたベッドの調整体制を揃えることが可能な場合のどちらにおいても、スラットは、完全に独立させることができる。
【００２７】
本発明の支持台の使用にあたっては、適切なマットレスと共に使用され、各個人の使用者に対して適切かつ正確に必要な整形の支持を提供する目的で、マットレスの長さ以上であることが要求される必要な相違を提供するために、使用者の特徴は、プロの整形外科のアドバイザーまたは知識のある使用者のどちらにも、マットレスに対する大きな支持の調整することを可能にした。調整され得る本発明の支持台がもつ容易さと確かさは、必要なときに、使用者が多様な調整を行なうことを可能にし、カムの操作を手段とした無限の使用可能な調整、および高さ調整ブロックを手段とした使用可能な微調整は、どんな使用者によっても要求されるような完全な変化を可能にする。調整ハンドルは、要求される理想的な支持を使用者または医師が獲得することを援助するために、マットレスに対する大きな支持の定量的な調整を可能にするための知識および目盛り定めの選択的な参照を提供することができる。このような、本発明の支持台の定量的な調整の容易さは、専門のアドバイザーに個々の患者の評価を行なうことも可能にし、使用者のベットサイドの付き添いの必要性がなく、専門のアドバイザーの医学的な要求に従って支持台の調整を行なうといった患者に対する提案を提供する。
【００２８】
本発明の精神と概括的に記載された範囲から逸れることなく、多くの変更および／または改良は、具体的な実施形態に示されたような本発明に合わせて行なわれるということが当業者によって認められる。したがって、提示した実施形態は、説明したようなすべての観点としてみなされ、制限するものではない。
【図面の簡単な説明】
【図１】
支持台の部分的な側面図である。
【図２】
備えられるマットレスを除いた支持体の全体の側面図である。
【図２Ａ】
高さ調整ブロックを用いた正および負のスラット調整を示す図である。
【図２Ｂ】
目盛りが定められたカムと対応する高さブロックを示す図である。
【図３】
カム調整を特徴とする支持台の平面図である。
【図４】
偏心器が備えられた、引き伸ばしたカムの末端の図である。
【図５】
複数の引き伸ばしたカムを組み入れた支持台の透視図である。
【図６】
腰部分に特徴のある可変の支持体を組み入れた病院の、または病人用のベッドの図である。
【国際公開パンフレット】
2004505741.tif 000003
2004505741.tif 000004
2004505741.tif 000005
2004505741.tif 000006
2004505741.tif 000007
2004505741.tif 000008
2004505741.tif 000009
2004505741.tif 000010
2004505741.tif 000011
2004505741.tif 000012
2004505741.tif 000013
2004505741.tif 000014
2004505741.tif 000015
2004505741.tif 000016
2004505741.tif 000017
2004505741.tif 000018
【国際調査報告】
2004505741.tif 000019
2004505741.tif 000020
2004505741.tif 000021